(57)【特許請求の範囲】
【請求項１】
駆動装置に連結されるシャフト部と、回転しながら被施術者の骨採取片を採取し且つ断面積が、断面の中心から最外側までの距離を半径とする場合の仮想円面積の１０％以上ないし４０％以下である切削部と、を具備するドリルと、
前記ドリルに締結されるドリルカバーであって、前記ドリルカバーの内周面と、前記切削部の切断面の外周面との間の空間に、前記骨採取片が収容される収容空間を形成するドリルカバーと、
を含み、
前記ドリルの先端が、前記ドリルカバーから突出自在であり、
前記ドリルカバーは、前記切削部の切断面が通過する収容部を具備し、
前記ドリルカバーには、切開部が螺旋形に形成された
ことを特徴とする自家骨採取用施術器具。
【請求項２】
駆動装置に連結されるシャフト部と、回転しながら被施術者の骨採取片を採取し且つ断面積が、断面の中心から最外側までの距離を半径とする場合の仮想円面積の１０％以上ないし４０％以下である切削部と、を具備するドリルと、
前記ドリルに締結されるドリルカバーであって、前記ドリルカバーの内周面と、前記切削部の切断面の外周面との間の空間に、前記骨採取片が収容される収容空間を形成するドリルカバーと、
を含み、
前記ドリルは、外周面から突出する係止爪を具備し、
前記ドリルカバーは、前記係止爪にかかって移動が制限され、
前記係止爪の下側に、第１突起が形成され、
前記ドリルカバーには、切開部が螺旋形に形成された
ことを特徴とする自家骨採取用施術器具。
【請求項３】
前記第１突起の下側に、第２突起が形成されたことを特徴とする請求項２に記載の自家骨採取用施術器具。
【請求項４】
駆動装置に連結されるシャフト部と、回転しながら被施術者の骨採取片を採取し且つ断面積が、断面の中心から最外側までの距離を半径とする場合の仮想円面積の１０％以上ないし４０％以下である切削部と、を具備するドリルと、
前記ドリルに締結されるドリルカバーであって、前記ドリルカバーの内周面と、前記切削部の切断面の外周面との間の空間に、前記骨採取片が収容される収容空間を形成するドリルカバーと、
を含み、
前記ドリルカバーの内周面から延長される隔壁部を具備し、
前記隔壁部が、前記切削部の先端方向に移動されるとき、前記隔壁部によって、前記収容空間に保管された骨採取片が、前記先端方向に移動され、
前記ドリルカバーには、切開部が螺旋形に形成された
ことを特徴とする自家骨採取用施術器具。  
【請求項５】
駆動装置に連結されるシャフト部と、回転しながら被施術者の骨採取片を採取し且つ断面積が、断面の中心から最外側までの距離を半径とする場合の仮想円面積の１０％以上ないし４０％以下である切削部と、を具備するドリルと、
前記ドリルに締結されるドリルカバーであって、前記ドリルカバーの内周面と、前記切削部の切断面の外周面との間の空間に、前記骨採取片が収容される収容空間を形成するドリルカバーと、
を含み、
前記ドリルカバーの上端部に形成され、前記ドリルカバーの周囲方向に沿って一定間隔に離隔され、上方向に突出する突出片が具備され、
前記突出片の上端部には、内側に曲折されたフック突起が具備され、
前記ドリルカバーには、切開部が螺旋形に形成された
ことを特徴とする自家骨採取用施術器具。
【請求項６】
前記切削部の末端は、尖った形状をなすように傾斜面を具備し、前記末端の中心部には、前記傾斜面より大きい傾度を有して突出するポインタが結合されたことを特徴とする請求項１に記載の自家骨採取用施術器具。  
【請求項７】
前記切削部は、螺旋形に延長する第１刃と、前記第１刃と同一ピッチで螺旋形に延長する第２刃と、からなることを特徴とする請求項１に記載の自家骨採取用施術器具。
【請求項８】
前記切削部を横に切断した切断面を基準に、前記第１刃または前記第２刃の最外側厚は、その中心部の厚みより厚いことを特徴とする請求項７に記載の自家骨採取用施術器具。
【請求項９】
前記切削部の末端は、互いに異なる傾度を有する２個以上のサブ傾斜面を含むことを特徴とする請求項１に記載の自家骨採取用施術器具。
【請求項１０】
前記切削部の厚みは、一定であるか、あるいは前記シャフト部の側に近接するほど、厚みが厚くなることを特徴とする請求項１に記載の自家骨採取用施術器具。
【発明の詳細な説明】
【技術分野】
【０００１】
本発明は、ドリル、ドリルカバー及びそれらを採用した自家骨採取用施術器具に係り、特に、インプラント施術時、骨採取片の採取に使用され、骨採取片の収容量を向上させ、採取された骨採取片を、切削部から容易に分離して、自家骨に侵透する切削部の深さを制御し、ドリルによって採取された骨採取片を、外部に飛散させずにドリルカバーに収容させるドリル、ドリルカバー及びそれらを採用した自家骨採取用施術器具に関する。
【背景技術】
【０００２】
インプラント施術時、被施術者の骨採取片を採取して移植する方法が使用されている。骨採取片は、歯科用ハンドピースに装着されるドリルを介して、インプラント被施術者の自家骨から採取される。本出願より先立って出願されて登録された特許文献１には、そのように骨採取片を採取する自家骨粉採取装置が開示されている。
【０００３】
しかしながら、前記のところの従来の自家骨粉採取装置は、ドリルを利用して、被施術者の骨採取片を採取するとき、ドリルによって形成される骨の部分に、骨採取片が入り込み、それを一つ一つ収去しなければならないという不都合がある。
【先行技術文献】
【特許文献】
【０００４】
【特許文献１】韓国実用新案第２０−０４０６６９４号公報
【発明の概要】
【発明が解決しようとする課題】
【０００５】
本発明は、前記問題点を解決するために案出されたものであり、骨採取片の収容量を向上させ、採取された骨採取片を切削部から容易に分離することができ、自家骨に侵透する切削部の深さを制御し、ドリルによって採取された骨採取片を、外部に飛散させずにドリルカバーに収容させるドリル、ドリルカバー及びそれらを採用した自家骨採取用施術器具を提供することをその目的にする。
【課題を解決するための手段】
【０００６】
前記のような課題を解決するための本発明の一実施形態によるドリルは、駆動装置に連結されるシャフト部と、回転しながら被施術者の骨採取片を採取する切削部と、を具備するドリルにおいて、前記切削部の断面積は、その中心から最外側までの距離を半径とするとき、その仮想円面積の１０％以上ないし４０％以下であることを特徴とする。
【０００７】
また、前記切削部の末端は、尖った形状をなすように傾斜面を具備し、前記末端の中心部には、前記傾斜面より大きい傾度を有して突出するポインタが結合されたことが望ましい。
【０００８】
また、前記切削部は、螺旋形に延長する第１刃と、前記第１刃と同一のピッチで螺旋形に延長する第２刃と、からなることが望ましい。
【０００９】
また、前記切削部を横に切断した切断面を基準に、前記第１刃または前記第２刃の最外側厚は、その中心部の厚さより厚いことが望ましい。
【００１０】
また、前記切削部の末端は、互いに異なる傾度を有する２個以上のサブ傾斜面を含むことが望ましい。
【００１１】
また、前記切削部の厚みは、一定であるか、あるいは前記シャフト部側に近接するほど、厚みが厚くなることが望ましい。
【００１２】
一方、本発明の他実施形態による自家骨採取用施術器具は、駆動装置に連結されるシャフト部と、回転しながら被施術者の骨採取片を採取する切削部と、を具備するドリル；及び前記ドリルに締結され、その内周面と、前記切削部切断面の外周面との間の空間に、前記骨採取片が収容される収容空間を形成するドリルカバー；を含むことが望ましい。
【００１３】
また、前記ドリルの先端が、前記ドリルカバーから突出自在であり、前記ドリルカバーは、前記切削部の切断面が通過する収容部を具備することが望ましい。
【００１４】
また、前記ドリルは、外周面から突出する係止爪を具備し、前記ドリルカバーは、前記係止爪にかかって移動が制限され、前記係止爪の下側に、第１突起が形成されたことが望ましい。
【００１５】
また、前記第１突起の下側に、第２突起が形成されたことが望ましい。
【００１６】
また、前記ドリルカバーの内周面から延長される隔壁部を具備し、前記隔壁部が、前記切削部の先端方向に移動されるとき、前記隔壁部によって、前記収容空間に保管された骨採取片が、前記先端方向に移動されることが望ましい。
【００１７】
また、前記ドリルカバーの上端部に形成され、その周囲方向に沿って一定間隔に離隔され、上方向に突出する突出片が具備され、前記突出片の上端部には、内側に曲折されたフック突起が具備されたことが望ましい。
【００１８】
また、前記ドリルカバーには、外周面と内周面とを貫き、上下方向に切開された長孔が形成されたことが望ましい。
【００１９】
一方、本発明のさらに他の実施形態によるドリルカバーは、回転時、被施術者の骨採取片を採取する切削部を有するドリルに締結されるドリルカバーにおいて、上部及び下部が開放され、前記切削部の外側に結合される本体を含み、前記本体は、上端及び下端が近接する方向に圧縮可能であることを特徴とする。
【００２０】
また、前記本体には、螺旋形に切開された切開部が形成されたことが望ましい。
【００２１】
また、前記切開部のピッチは、一定であることが望ましい。
【００２２】
また、前記切開部のピッチは、可変であることが望ましい。
【００２３】
また、前記切開部の幅は、一定であることが望ましい。
【００２４】
また、前記切開部は、一定の第１切開幅を有する第１切開部と、前記第１切開幅より狭い第２切開幅を有する第２切開部と、からなることが望ましい。
【００２５】
また、前記第２切開部は、前記第１切開部の両端部からそれぞれ延長され、前記第２切開部は、その端部に行くほど、幅がだんだんと狭くなることが望ましい。
【００２６】
また、前記切開部は、上側から下側に、左旋回または右旋回の一方向に回転して延長することが望ましい。
【００２７】
また、前記本体の上端部に形成され、その周囲方向に沿って一定間隔に離隔され、上方向に突出する突出片が具備されたことが望ましい。
【００２８】
また、前記本体の内周面から延長される隔壁部を具備し、前記隔壁部は、前記切削部の切断面が通過する収容部を具備することが望ましい。
【００２９】
また、前記本体の上端部には、内側に曲折されたフック突起が具備されたことが望ましい。
【００３０】
また、前記本体は、チタンまたはステンレススチールからなることが望ましい。
【００３１】
一方、本発明のさらに他の実施形態による自家骨採取用施術器具は、駆動装置に連結されるシャフト部と、回転しながら被施術者の骨採取片を採取する切削部と、を具備するドリル；及び上部並びに下部が開放され、前記切削部の外側に結合され、上端及び下端が近接する方向に圧縮可能な本体を有するドリルカバー；を含むことを特徴とする。
【００３２】
また、前記本体には、螺旋形に切開された切開部が形成されたことが望ましい。
【００３３】
また、前記切開部のピッチは、一定であることが望ましい。
【００３４】
また、前記切開部のピッチは、可変であることが望ましい。
【００３５】
また、前記切開部の幅は、一定であることが望ましい。
【００３６】
また、前記切開部は、一定の第１切開幅を有する第１切開部と、前記第１切開幅より狭い第２切開幅を有する第２切開部と、からなることが望ましい。
【００３７】
また、前記第２切開部は、前記第１切開部の両端部からそれぞれ延長され、前記第２切開部は、その端部に行くほど、幅がだんだんと狭くなることが望ましい。
【００３８】
また、前記切開部は、上側から下側に、左旋回または右旋回の一方向に回転して延長することが望ましい。
【００３９】
また、前記本体の上端部に形成され、その周囲方向に沿って一定間隔に離隔され、上方向に突出する突出片が具備されたことが望ましい。
【００４０】
また、前記本体の内周面から延長される隔壁部を具備し、前記隔壁部は、前記切削部の切断面が通過する収容部を具備することが望ましい。
【００４１】
また、前記本体の上端部には、内側に曲折されたフック突起が具備されたことが望ましい。
【００４２】
また、前記本体は、チタンまたはステンレススチールからなることが望ましい。
【００４３】
また、前記切削部の断面積は、その中心  から最外側までの距離を半径とするとき、その仮想円面積の１０％以上ないし４０％以下であることが望ましい。
【００４４】
また、前記切削部は、外周面から突出する係止爪を具備し、前記ドリルカバーは、前記係止爪にかかって移動が制限され、前記係止爪の下側に、第１突起が形成されたことが望ましい。
【００４５】
また、前記第１突起の下側に、第２突起が形成されたことが望ましい。
【００４６】
また、前記切削部は、螺旋形に延長する第１刃と、前記第１刃と同一のピッチで螺旋形に延長する第２刃と、からなることが望ましい。
【００４７】
また、前記切削部の末端は、互いに異なる傾度を有する２個以上のサブ傾斜面を含むことが望ましい。
【００４８】
また、前記切削部は、その端部中心から突出するポインタが具備されたことが望ましい。
【００４９】
また、前記切削部の厚みは、一定であるか、あるいは前記シャフト部側に近接するほど、厚みが厚くなることが望ましい。
【発明の効果】
【００５０】
本発明の実施形態によるドリル、ドリルカバー及びそれらを採用した自家骨採取用施術器具は、骨採取片の収容量を向上させ、採取された骨採取片を切削部から容易に分離して、自家骨に侵透する切削部の深さを制御し、ドリルによって採取された骨採取片を外部に飛散させずにドリルカバーに収容させる。
【図面の簡単な説明】
【００５１】
【図１】本発明の一実施形態による自家骨採取用施術器具の正面図である。
【図２】図１に採用されたドリルの正面図である。
【図３】図２の底面図である。
【図４】図２のＩＶ−ＩＶ線断面図である。
【図５】図１に採用されたドリルカバーの正面図である。
【図６】図５の平面図である。
【図７】図５の断面図である。
【図８】図７の「Ａ」部分を抜粋して図示した図面である。
【図９】ドリルとドリルカバーとが一次的に結合された状態の図面である。
【図１０】図１のＸ−Ｘ線断面図である。
【図１１】本発明の他実施形態による自家骨採取用施術器具の正面図である。
【図１２】図１１に採用されたドリルカバーの正面図である。
【図１３】図１２の平面図である。
【図１４】図１３の断面図である。
【図１５】図１４の「Ａ」部分を抜粋して図示した図面である。
【図１６】ドリルとドリルカバーとの一次的結合状態の図面である。
【図１７】図１１のＣ−Ｃ線断面図である。
【図１８】他の実施形態によるドリルの正面図である。
【図１９】従来の施術器具によって採取された骨採取片を撮影した写真である。
【図２０】本発明の実施形態による自家骨採取用施術器具によって採取された骨採取片を撮影した写真である。
【発明を実施するための形態】
【００５２】
本発明は、自家骨（ａｕｔｏｇｅｎｏｕｓ  ｂｏｎｅ）採取施術器具用ドリル、ドリルカバー及びそれらを採用した自家骨採取用施術器具に係り、特に、インプラント施術時、骨採取片を採取するのに使用されるものである。
【００５３】
以下、本発明による望ましい実施形態について、添付された図面を参照し、詳細に説明する。
【００５４】
図１は、本発明の一実施形態による自家骨採取用施術器具の正面図であり、図２は、図１に採用されたドリルの正面図である。図３は、図２の底面図であり、図４は、図２のＩＶ−ＩＶ線断面図である。図５は、図１に採用されたドリルカバーの正面図であり、図６は、図５の平面図であり、図７は、図５の断面図である。図８は、図７の「Ａ」部分を抜粋して図示した図面であり、図９は、ドリルとドリルカバーとが一次的に結合された状態の図面であり、図１０は、図１のＸ−Ｘ線断面図である。
【００５５】
まず、図１及び図２を参照すれば、本発明の一実施形態によるドリルは、駆動装置に連結されるシャフト部１１と、回転しながら被施術者の骨採取片を採取する切削部１２と、を具備するドリル１０において、前記切削部１２の断面積Ｌは、その中心から最外側までの距離を半径Ｒとするとき、その仮想円面積の１０％以上ないし４０％以下に形成される。
【００５６】
切削部１２の断面積Ｌを１０％未満に加工すれば、切削部の強度が落ち、４０％を超えれば、切削部１２が占める面積増加によって、採取された骨採取片が収容される収容空間２６が減って望ましくない。
【００５７】
本実施形態に採用された切削部１２の断面積は、その中心から最外側までの距離を半径Ｒとするとき、その仮想円の面積の２０％に形成される。従来の施術器具に使用される切削部の断面積は、切削部の中心から最外側までの距離を半径とするとき、その仮想円面積の５０％を超えて形成することが一般的である。
【００５８】
前記ドリル１０は、駆動装置から動力を伝達されて回転するとき、被施術者の骨採取片を採取するために具備されたものである。
【００５９】
前記シャフト部１１は、駆動装置に連結され、動力を伝達されて回転し、一方向に延長する。図２を参照すれば、前記シャフト部１１の上側に、動力源が連結され、下側に切削部１２が配置される。
【００６０】
本実施形態で、前記シャフト部１１と前記切削部１２は、連結部１３によって連結される。すなわち、前記連結部１３の上側には、シャフト部１１が連結され、下側には、前記切削部１２が連結される。
【００６１】
前記切削部１２は、前記シャフト部１１と共に回転し、被施術者の自家骨に侵透して骨採取片を採取する。前記切削部１２は、前記シャフト部１１が延長する方向に螺旋形に延長する。
【００６２】
図２を参照すれば、本実施形態で、前記切削部１２は、第１刃１２１と、第２刃１２２と、を具備する。
【００６３】
前記第１刃１２１及び第２刃１２２は、前記連結部１３から下側に螺旋形に延長され、第１刃１２１及び第２刃１２２を同一ピッチで延長させる。前記第１刃１２１と第２刃１２２とが螺旋形に延長するときに形成する谷（一見、螺子谷のように形成された部分）は、自家骨から採取された骨採取片が収容される収容空間２６を提供する。
【００６４】
図３に図示されたように、切削部１２の末端には、互いに異なる傾度を有する２個以上のサブ傾斜面が具備される。本実施形態で、前記切削部１２の末端、すなわち、前記第１刃１２１及び第２刃１２２の先端は、２段のサブ傾斜面を有するように形成される。
【００６５】
具体的には、２段のサブ傾斜面は、図３の参照番号１２１ａ，１２１ｂ及び１２２ａ，１２２ｂで表記した。第１刃１２１の先端に、傾度が互いに異なるサブ傾斜面１２１ａ，１２１ｂが具備され、第２刃１２２の先端に、傾度が互いに異なるサブ傾斜面１２２ａ，１２２ｂが具備される。前記１２１ａと１２２ａは、同じ傾度を有し、１２１ｂと１２１ｂは、互いに同じ傾度を有する。１２１ａ及び１２２ａのサブ傾斜面の傾度は、１２１ｂと１２１ｂとのサブ傾斜面の傾度より小さい。
【００６６】
図４を参照すれば、切削部１２の切断面を図示したものであり、前記第１刃１２１または第２刃１２２の最外側厚Ｗ１は、その中心部の厚みＷ２より厚く形成される。
【００６７】
すなわち、第１刃１２１または第２刃１２２は、切削部１２の中心側に行くほど、その厚みが薄くなるように加工されている。このように厚みが薄くなるようにすることにより、第１刃１２１及び第２刃１２２が回転して採取された骨採取片が収容される収容空間２６を広く確保することができる。
【００６８】
図２を参照すれば、前記切削部１２の末端は、その中心部が尖った形状をなすように、傾斜面１２３を具備する。また、前記切削部１２の末端の中心部には、前記傾斜面１２３より大きい傾度を有して突出するポインタ１２４が結合される。前記ポインタ１２４は、前記切削部１２と一体に加工される。
【００６９】
前記ポインタ１２４は、被施術者の自家骨に切削部１２を接触させるとき、接触されなければならない自家骨の位置に切削部１２を容易に接近させることを可能にする。
【００７０】
また、ポインタ１２４によって、切削部１２が回転するとき、ポインタ１２４によって、切削部１２の揺動を抑制する。すなわち、前記ポインタ１２４は、骨採取片を採取する正確な位置に切削部１２を接近させ、揺動を抑制した状態で施術を可能にする。
【００７１】
本実施形態によれば、前記ドリル１０は、係止爪１４と、第１突起１５及び第２突起１６とが具備される。
【００７２】
前記係止爪１４は、ドリル１０の外周面から突出する。本実施形態で、前記係止爪１４は、前記連結部１３の上側部に設けられて外側に突出する。後述するドリルカバー２０は、前記係止爪１４にかかって移動が制限される。具体的には、前記ドリルカバー２０が上側に移動するとき、前記ドリルカバー２０は、前記係止爪１４にかかって上方向への移動が制限される。
【００７３】
前記第１突起１５は、前記係止爪１４の下側に配置される。本実施形態で、前記第１突起１５は、前記連結部１３の外周面周囲方向に沿って突出されて形成される。前記第１突起１５に、後述するドリルカバー２０のフック突起２４がかかることになる。
【００７４】
前記第２突起１６は、第１突起１５の下側に形成される。本実施形態で、前記第２突起１６は、前記連結部１３の外周面周囲方向に沿って形成される。前記第２突起１６も、後述するドリルカバーのフック突起２４がかかることになる。具体的には、フック突起２４は、第２突起１６にかかった後、第１突起１５にかかる。さらに具体的な作用については、追って説明する。
【００７５】
一方、本発明は、前記ドリル１０を具備した自家骨採取用施術器具を提供する。本実施形態による自家骨採取用施術器具は、ドリル１０及びドリルカバー２０を含む。
【００７６】
本実施形態で採用された前記ドリル１０は、前述の通りであるので、その具体的な説明は省略する。
【００７７】
前記ドリルカバー２０は、前記ドリル１０に締結され、その内周面２９と、前記切削部１２の切断面ｌの外周面１２ａとの間の空間に、骨採取片が収容される収容空間２６を形成する。
【００７８】
前記ドリル１０の先端が、前記ドリルカバー２０から突出自在に結合される。前記ドリルカバー２０は、前記切削部１２の切断面ｌが通過する収容部２２を具備する。
【００７９】
すなわち、前記収容部２２は、前記切削部１２の切断面ｌの形状に対応する形状からなり、前記ドリルカバー２０がドリル１０に締結されるとき、前記切削部１２は、前記収容部２２に嵌め込まれる。
【００８０】
具体的には、前記ドリルカバー２０は、前記切削部１２の外側に配置される。前記ドリルカバー２０は、前記切削部１２を収容する。前記ドリルカバー２０の長さは、前記係止爪１４から前記切削部１２の端部までの長さより短い。
【００８１】
従って、図１に図示されたように、前記ドリルカバー２０の上側が、前記連結部１３の係止爪１４に接触した状態になったとき、前記切削部１２は、前記ドリルカバー２０の外側に突出する。
【００８２】
すなわち、前記切削部１２が回転し、前記被施術者の自家骨に侵透して骨採取片を採取するとき、前記切削部１２は、前記ドリルカバー２０の下側に突出することになる。
【００８３】
前記ドリルカバー２０は、隔壁部２１、突出片２３、長孔２５を具備する。
【００８４】
図６を参照すれば、前記隔壁部２１は、前記切削部１２の内周面から切削部１２の中心部に向けて突出され、前記切削部１２の断面形状に対応する収容部２２を形成するように延長する。
【００８５】
具体的には、隔壁部２１は、前記切削部１２の内周面から、２個の切片が互いに対面して互いに近くなる方向に延長され、その中心側に、前記切削部１２が収容される収容部２２が形成される。
【００８６】
前記隔壁部２１は、前記ドリルカバー２０が、前記切削部１２に結合された状態で骨採取片を採取した後、ドリルカバー２０を、前記切削部１２から分離するとき、切削部１２に入り込んでいる骨採取片を掻き出し、骨採取片の収集を容易にする。
【００８７】
図５を参照すれば、前記突出片２３は、前記ドリルカバー２０の上端部に形成される。本実施形態で、前記突出片２３は、前記ドリルカバー２０の上端部において、その周囲方向に沿って一定間隔に離隔され、上方向に突出する。
【００８８】
従って、前記突出片２３は、前記ドリルカバー２０の上端部に複数個具備される。前記突出片２３の個数及び間隔は、多様に変更可能であるということは、言うまでもない。すなわち、突出片２３は、互いに異なる間隔でも配置される。
【００８９】
図７及び図８を参照すれば、前記突出片２３の上端部には、内側に曲折されたフック突起２４が具備される。前記フック突起２４は、前記ドリルカバー２０が、前記切削部１２に結合されるとき、一次的に第２突起１６にかかり、切削部１２が動作して回転するとき、ドリルカバー２０が上側に移動し、二次的に第１突起１５にかかることになる。
【００９０】
前記突出片２３は、互いに離隔され、複数個が具備されるので、フック突起２４が、第１突起１５及び第２突起１６にかかるとき、それぞれの突出片２３が外側に若干弾性変形されて締結を容易にする。
【００９１】
前記長孔２５は、切削部１２が回転して自家骨を採取するときに発生する熱を冷やすために、ドリルカバー２０と切削部１２との間に水を注入するために設けられる。前記長孔２５は、前記ドリルカバー２０の外周面と内周面とを貫き、上下方向に長く切開されている。
【００９２】
本実施形態によれば、前記長孔２５は、前記ドリルカバー２０の下端部に近接して上側に延長する。前記長孔２５の上端部は、前記隔壁部２１の下側に配置される。すなわち、長孔２５の一端部は、ドリルカバー２０の下端部に近接しており、他端部（上端部）は、上側に延長され、前記隔壁部２１の下側に配置されるように長く延長される。
【００９３】
以下、前記構成による自家骨採取用施術器具の作用について具体的に説明する。
【００９４】
まず、図９を参照すれば、切削部１２の末端を、ドリルカバー２０の上側（突出片２３が位置した部分）に接近させて締結する。前記切削部１２は、前記隔壁部２１が形成される収容部２２を貫いて通過することができるので、切削部１２とドリルカバー２０とを互いに相対回転させ、フック突起２４が第２突起１６にかかる位置まで移動させる。このような過程で、切削部１２とドリルカバー２０との一次的結合がなされる。
【００９５】
次に、前記シャフト部１１に駆動装置が連結され、動力を印加してシャフト部１１を回転させれば、前記ドリルカバー２０が切削部１２の第１刃１２１及び第２刃１２２が形成する谷に沿って上側に移動する。
【００９６】
このとき、図１に図示されたように、前記ドリルカバー２０は、係止爪１４にかかる位置まで上方向に移動し、フック突起２４は、第１突起１５にかかることにより、前記切削部１２と前記ドリルカバー２０との相対的位置が決定される。
【００９７】
次に、切削部１２のポインタ１２４を、被施術者の自家骨に位置させる。前記ポインタ１２４は、切削部１２の傾斜面１２３よりさらに大きい傾度を有するので、骨採取片を採取する自家骨の位置に、正確にポインタ１２４を位置させることができる。
【００９８】
次に、シャフト部１１を回転させながら、骨採取片を採取する。この過程で、前記切削部１２は、前記ドリルカバー２０の下側に突出する長さが制限されるので、自家骨に侵透する切削部１２の長さは、常に一定に維持されるので、自家骨に侵透する切削部１２の深さ制御が可能になる。
【００９９】
すなわち、ドリルカバー２０の下側に突出する切削部１２の長さは、ドリルカバー２０の長さを調節すれば可能であるので、所望の長さを有するドリルカバー２０を製作し、自家骨に侵透する切削部１２の深さを制御することができる。切削部１２の回転時、採取される骨採取片は、収容空間２６に収容される。
【０１００】
骨採取片の採取が完了すれば、ドリルカバー２０を切削部１２から分離する。前記ドリルカバー２０を、前記切削部１２に対して相対回転させることにより、前記ドリルカバー２０を分離するが、そのとき、前記隔壁部２１は、前記切削部１２に入り込んでいる骨採取片を掻き出す。
【０１０１】
すなわち、第１刃１２１及び第２刃１２２の間に存在する骨採取片が、隔壁部２１によって掻き出され、前記骨採取片は、ドリルカバー２０の内部に込められ、自動的に切削部１２から分離される。
【０１０２】
また、施術中に、前記長孔２５を介して水を流入させる。前記長孔２５は、ドリルカバー２０の外側に形成されたものであり、その長さが常に一定であるので、施術中に、一定量の水を安定して供給し、ボーンヒーティング（ｂｏｎｅ  ｈｅａｔｉｎｇ）を防止する。
【０１０３】
このように、本発明の実施形態による自家骨採取用施術器具は、被施術者の自家骨に侵透する切削部１２の深さを一定に維持し、切削部１２によって採取された骨採取片は、従来より広い収容空間２６に収容され、さらに多くの骨採取片を採取する効果を提供する。
【０１０４】
また、切削部１２に入り込んでいる骨採取片を容易に掻き出すことができるという効果を提供する。従って、施術の安定性を向上させ、施術時間を顕著に短縮させるという効果を提供する。
【０１０５】
また、本発明の実施形態に採用されたドリル１０は、その先端に、互いに異なる傾度を有する２以上のサブ傾斜面を具備することにより、切削機能を顕著に向上させる。具体的には、図１９及び図２０を参照して説明する。図１９及び図２０は、本発明の実施形態による自家骨採取用施術器具によって採取された骨採取片と、従来の施術器具によって採取された骨採取片とを撮影した写真である。
【０１０６】
図１９及び図２０を参照すれば、本発明の実施形態による自家骨採取用施術器具によって採取された骨採取片の大きさは、従来の施術器具によって採取された骨採取片の大きさより顕著に大きい。従って、切削機能の向上によって、さらに大きい骨採取片の採取が可能であり、かような骨採取片は、移植に使用しやすいという長所を提供する。
【０１０７】
一方、本発明の他の実施形態によるドリル、ドリルカバー及びそれらを採用した自家骨採取用施術器具について、図１１ないし図１８を参照して説明する。
【０１０８】
図１１は、本発明の他実施形態による自家骨採取用施術器具の正面図であり、図１２は、図１１に採用されたドリルカバーの正面図である。図１３は、図１２の平面図であり、図１４は、図１３の断面図であり、図１５は、図１４の「Ａ」部分を抜粋して図示した図面である。図１６は、ドリルとドリルカバーとの一次的結合状態の図面であり、図１７は、図１１のＣ−Ｃ線断面図である。
【０１０９】
まず、図１１及び図１２を参照すれば、本実施形態によるドリルカバー３０は、回転しながら、被施術者の骨採取片を採取する切削部１２を有するドリル１０に締結される。
【０１１０】
前記ドリルカバー３０は、その内周面３９と、前記切削部１２の切断面ｌの外周面１２ａとの間の空間に、骨採取片が収容される収容空間２６を形成する（図１７参照）。すなわち、前記ドリルカバー３０は、ドリル１０によって採取された骨採取片が外部に抜け出さず、前記収容空間２６に集めるために具備される。
【０１１１】
前記ドリルカバー３０は、本体３７と切開部３８とを含む。
【０１１２】
前記本体３７は、上部及び下部が開放され、前記切削部１２の外側に結合される。前記本体３７の内部でドリル１０が貫いて結合される。
【０１１３】
前記本体３７は、チタン（ＴｉＮ）またはステンレススチール（ｓｔａｉｎｌｅｓｓ  ｓｔｅｅｌ）からなる。前記本体３７は、チタンまたはステンレススチールからなるので、反復使用が可能であり、耐久性が向上する。本体３７の滅菌時、高温でもその構造が変形されずに維持されるので、持続的使用が可能である。
【０１１４】
前記本体３７の末端は、前記切削部１２の端部に近接して位置する。具体的には、前記本体３７の末端は、前記切削部１２の端部より若干上側に配置される。すなわち、図１１に図示されたように、ドリルカバー３０がドリル１０に締結されれば、切削部１２の端部一部が、前記ドリルカバー３０の端部外側に若干突出する。
【０１１５】
前記本体３７の末端を、前記切削部１２の端部に近接させて配置することにより、前記切削部１２が回転する初期に、前記切削部１２の回転によって採取された骨採取片が、ドリルカバー３０の外側に抜け出ることが防止される。
【０１１６】
前記切開部３８は、前記本体３７の上端及び下端が近接する方向に、圧縮自在に具備されたものである。前記切開部３８は、前記本体３７に螺旋形に切開された部分である。
【０１１７】
前記切開部３８は、上側から下側に、左旋回または右旋回の一方向に回転しながら延長する。従って、前記切開部３８は、前記本体３７の外周面に螺旋形に切開されることにより、前記ドリルカバー３０は、全体的にスプリング構造を有する。
【０１１８】
図１２を参照すれば、本実施形態によれば、前記切開部３８のピッチは、一定に形成される。また、図示されていないが、前記切開部３８のピッチは、可変でもある。すなわち、前記切開部３８のピッチは、一定ではない形態にも製造される。切開部３８のピッチを調節し、ドリルカバー３０が圧縮されるときに必要な力を調節することができる。すなわち、ドリルカバー３０のテンションを調節することができる。
【０１１９】
例えば、前記切開部３８の上端部と下端部とのピッチを同一に形成し、中間部のピッチを、上端部及び下端部のピッチより短くし、前記ドリルカバー３０の圧縮時に必要となる力を減らすことができる。ピッチは、多様に変更して製造されもするということは、言うまでもない。
【０１２０】
本実施形態によれば、前記切開部３８は、第１切開部３８１と第２切開部３８２とを含む。
【０１２１】
前記第１切開部３８１は、一定の第１切開幅Ｗ３を有する。前記第２切開部３８２は、前記第１切開幅Ｗ３より狭い第２切開幅Ｗ４を有する。前記切開部３８は、一定の幅を有するように形成することも可能であるということは、言うまでもない。
【０１２２】
前記第２切開部３８２は、前記第１切開部３８１の両端部からそれぞれ延長され、前記第２切開部３８２は、その端部に行くほどその幅がだんだんと狭くなる。
【０１２３】
それは、ドリルカバー３０が圧縮されるとき、前記第１切開部３８１及び第２切開部３８２の幅が狭まるが、そのとき、前記第２切開部３８２の端部側でも、圧縮を容易に誘導し、採取された骨採取片がドリルカバー３０の外側に抜け出ることを防止する効果を提供する。
【０１２４】
前記ドリルカバー３０は、隔壁部３１及び突出片３３をさらに具備する。
【０１２５】
図１３を参照すれば、前記隔壁部３１は、前記本体３７の内周面から延長される。前記隔壁部３１は、前記切削部１２の切断面ｌが通過する収容部３２を具備する。
【０１２６】
具体的には、隔壁部３１は、前記本体３７の内周面から２個の切片が互いに対面し、互いに近くなる方向に延長され、その中心側に前記切削部１２が収容される収容部３２が形成される。
【０１２７】
すなわち、前記収容部３２は、前記切削部１２の切断面ｌの形状に対応する形状からなり、前記ドリルカバー３０がドリル１０に締結されるとき、前記切削部１２は、前記収容部３２に嵌め込まれる。
【０１２８】
前記隔壁部３１は、前記ドリルカバー３０が、前記切削部１２に結合された状態で、前記ドリル１０によって骨採取片を採取した後、ドリルカバー３０を、前記切削部１２から分離するとき、切削部１２の外周面に付いている骨採取片を掻き出し、骨採取片の収集を容易にする。
【０１２９】
図１２及び図１３を参照すれば、前記突出片３３は、前記ドリルカバー２０の上端部に形成される。本実施形態で、前記突出片３３は、前記ドリルカバー３０の上端部において、その周囲方向に沿って一定間隔に離隔され、上方向に突出する。
【０１３０】
従って、前記突出片３３は、前記ドリルカバー３０の上端部に複数個具備される。前記突出片３３の個数及び間隔は、多様に変更可能であるということは、言うまでもない。すなわち、突出片３３は、互いに異なる間隔でも配置される。
【０１３１】
図１４及び図１５を参照すれば、前記突出片３３の上端部には、内側に曲折されたフック突起３４が具備される。前記フック突起３４は、前記ドリルカバー３０が、前記切削部１２に結合されるとき、一次的に第２突起１６にかかり、ドリルカバー３０が上側にさらに移動し、二次的に第１突起１５にかかる。
【０１３２】
また、本発明の他の実施形態によれば、前述のドリルカバー３０を採用した自家骨採取用施術器具が提供される。前記自家骨採取用施術器具は、駆動装置に連結されるシャフト部１１と、回転しながら被施術者の骨採取片を採取する切削部１２と、を具備するドリル１０；及び上部及び下部が開放され、前記切削部１２の外側に結合される本体３７と、前記本体３７の上端及び下端が近接する方向に圧縮自在に、前記本体に螺旋形に切開された切開部３８と、を有するドリルカバー３０；を含む。
【０１３３】
前記自家骨採取用施術器具を構成する前記ドリルカバー３０は、前述の通りであるので、その具体的な説明は省略する。
【０１３４】
また、本実施形態に採用された前記ドリル１０は、前述の実施形態によるドリル（図２参照）と同一であり、前記ドリル１０は、前述の通りであるので、その具体的な説明は省略する。
【０１３５】
また、本実施形態で、前記切削部１２の最外側厚は、一定に形成される。一方、図１８は、ドリルの変形例を図示したものであり、図１８に図示されているように、前記切削部１２の最外側厚は、シャフト部１１側に近接するほど、その厚みが厚くなるように形成されもする（図１８のＢ区間）。
【０１３６】
以下、ドリルカバーを採用した自家骨採取用施術器具の作用について具体的に説明する。
【０１３７】
まず、図１６を参照すれば、切削部１２の末端を、ドリルカバー３０の上側（突出片３３が位置した部分）で接近させて締結する。前記切削部１２は、前記隔壁部３１が形成する収容部３２を貫いて通過することができるので、切削部１２と、ドリルカバー３０とを互いに相対回転させ、フック突起３４が第２突起１６にかかる位置まで移動する。かような過程で、切削部１２とドリルカバー３０との一次的結合がなされる。
【０１３８】
次に、シャフト部１１をさらに回転させれば、前記ドリルカバー３０が、切削部１２の第１刃１２１及び第２刃１２２が形成する谷に沿って上側に移動する。
【０１３９】
このとき、図１１に図示されているように、前記ドリルカバー３０は、係止爪１４にかかる位置まで上方向に移動し、フック突起３４は、第１突起１５にかかることにより、前記切削部１２と前記ドリルカバー３０との相対的位置が決定される。すなわち、フック突起３４は、第２突起１６にかかった後、第１突起１５にかかる。前記ドリルカバー３０のフック突起３４が、第１突起１５及び第２突起１６にかかるとき、それぞれの突出片３３が、外側に若干弾性変形されながら締結される。
【０１４０】
次に、切削部１２のポインタ１２４を、被施術者の自家骨に位置させる。前記ポインタ１２４は、切削部１２の傾斜面１２３よりさらに大きい傾度を有するので、骨採取片を採取する自家骨の位置に、正確にポインタ１２４を位置させることができる。
【０１４１】
次に、シャフト部１１に駆動装置を連結し、動力を印加して回転させる。ドリル３０を自家骨側に押し当てながら、切削部１２が自家骨に侵透する。切削部１２が回転する初期に、前記本体３８の下端部は、自家骨近辺に位置するので、切削部１２が回転する初期に採取された骨採取片が、ドリルカバー３０の外側に飛散することが防止される。
【０１４２】
ドリル１０が自家骨側に押し当てられれば、ドリルカバー３０の本体３８が圧縮される。この過程で、前記切削部１２の末端は、本体３８の下側からだんだんと突出する。
【０１４３】
前記切削部１２の末端は、前記本体３８が最大に圧縮されるまで突出する。すなわち、前記切削部１２は、前記ドリルカバー３０の下側に突出する長さが制限される。従って、自家骨に侵透する切削部１２の長さは、常に一定に維持されるので、自家骨に侵透する切削部１２の深さ制御が可能になる。
【０１４４】
すなわち、ドリルカバー３０の下側に突出する切削部１２の長さは、ドリルカバー３０の本体３８の長さを調節することによって可能になる。切削部１２の回転時、採取される骨採取片は、収容空間２６に収容される。
【０１４５】
骨採取片の採取が完了すれば、ドリルカバー３０を、切削部１２から分離する。前記ドリルカバー３０を、前記切削部１２に対して相対回転させることにより、前記ドリルカバー３０を分離するが、そのとき、前記隔壁部３１は、前記切削部１２の外周面に付いている骨採取片を掻き出す。
【０１４６】
すなわち、第１刃１２１及び第２刃１２２の間に存在する骨採取片が、隔壁部３１によって掻き取られ、前記骨採取片は、ドリルカバー３０の内部に込められ、自動的に切削部１２から分離される。
【０１４７】
このように、本発明の実施形態によるドリルカバー３０は、ドリルカバー３０の下端部を、自家骨に隣接して位置させることができるので、切削部１２が回転する初期に、骨採取片がドリルカバー３０の外に飛び出すことを防止する。
【０１４８】
また、ドリルカバー３０は、スプリング形状に製作されるので、被施術者の自家骨に侵透する切削部１２の深さを一定に維持し、施術の安定性を向上させる。
【０１４９】
また、ドリルカバー３０は、チタンまたはステンレススチールによって製作し、耐久性が向上して反復的使用が可能であり、高温の滅菌処理時、その形状が一定に維持されるという効果を提供する。
【０１５０】
また、ドリルカバー３０は、隔壁部３１を具備するので、切削部１２の外周面に付いている骨採取片を容易に掻き出すことができるという効果を提供する。従って、施術時間を顕著に短縮させるという効果を提供する。
【０１５１】
一方、本発明の実施形態によるドリルカバーを採用した自家骨採取用施術器具は、切削部１２によって採取された骨採取片は、従来より広い収容空間に収容され、さらに多くの骨採取片を採取するという効果を提供する。
【０１５２】
また、本発明の実施形態に採用されたドリル１０は、その先端に互いに異なる傾度を有する２以上のサブ傾斜面を具備することにより、切削機能を顕著に向上させる。具体的には、図１９及び図２０を参照して説明する。図１９及び図２０は、本発明の実施形態による自家骨採取用施術器具によって採取された骨採取片と、従来の施術器具によって採取された骨採取片とを撮影した写真である。
【０１５３】
図１９及び図２０を参照すれば、本発明の実施形態による自家骨採取用施術器具によって採取された骨採取片の大きさは、従来の施術器具によって採取された骨採取片の大きさより顕著に大きい。従って、切削機能向上によって、さらに大きい骨採取片の採取が可能であり、かような骨採取片は、移植に使用しやすいという長所を提供する。
【０１５４】
以上、本発明について、望ましい実施形態を挙げて詳細に説明したが、本発明は、前記実施形態に限定されるものではなく、本発明の範疇を外れない範囲内でさまざまな多い変形が提供されるのである。
【図１】
0005931197.tif 000002
【図２】
0005931197.tif 000003
【図３】
0005931197.tif 000004
【図４】
0005931197.tif 000005
【図５】
0005931197.tif 000006
【図６】
0005931197.tif 000007
【図７】
0005931197.tif 000008
【図８】
0005931197.tif 000009
【図９】
0005931197.tif 000010
【図１０】
0005931197.tif 000011
【図１１】
0005931197.tif 000012
【図１２】
0005931197.tif 000013
【図１３】
0005931197.tif 000014
【図１４】
0005931197.tif 000015
【図１５】
0005931197.tif 000016
【図１６】
0005931197.tif 000017
【図１７】
0005931197.tif 000018
【図１８】
0005931197.tif 000019
【図１９】
0005931197.tif 000020
【図２０】
0005931197.tif 000021